Podtech/llm-jp-corpus-v4-ja_patent huggingface dataset:
(57)【要約】【課題】  出産までのお腹の膨らみに応じて腹部被いのサイズを簡単に調整でき、また、自然なシルエットを作り出すことができデザイン性に優れたセパレート水着を提供すること。【解決手段】  トップ２とボトム３からなるセパレート水着１において、前記トップは、その左右身頃の下端部から丈方向に２つの紐通し穴２１，２２を有し、該紐通し穴に紐を連通して２本の紐２３を下端から露出させ、下端から露出した紐により前記トップの丈方向を引き上げてトップの左右長さをギャザーを生じさせることによって調節可能としたことを特徴とする。【選択図】  図２
0003111235.tif 000002
【実用新案登録請求の範囲】
【請求項１】
トップとボトムからなるセパレート水着において、前記トップは、その左右身頃の下端部から丈方向に２つの紐通し穴を有し、該紐通し穴に紐を連通して２本の紐を下端から露出させ、下端から露出した紐により前記トップの丈方向を引き上げてトップの左右長さをギャザーを生じさせることによって調節可能としたことを特徴とするセパレート水着。
【考案の詳細な説明】
【技術分野】
【０００１】
本考案は、トップとボトムからなるセパレート水着、特に、妊婦が着用するセパレート水着の改良であって、トップ側の水着が捲くれ上がって腹部が露出しないようにしたセパレート水着に関する。
【背景技術】
【０００２】
セパレート水着は、肌の露出を嫌う女性や寒さにも強いことから多用されている。特に、マタニティースイミング等が盛んに行われており、妊婦がお腹の膨らみを隠すためにセパレート水着を選ぶことも多い。そして、一般的なセパレート水着は、体の上半身を包むトップと下半身を包むボトムとから構成されている。
【考案の開示】
【考案が解決しようとする課題】
【０００３】
しかしながら、今までのセパレート水着のトップには、妊婦のお腹の膨らみに応じて腹部被いのサイズを調整する手段が設けられているものはなく、従って、妊婦の体に合う水着を着用してマタニティスイミングを行った場合には、トップの下側が捲くれ上がり腹部が露出してしまうといった問題があった。
【０００４】
本考案は前記した問題点を解決せんとするもので、その目的とするところは、妊婦のお腹の膨らみに応じて腹部被いのサイズを簡単に調整でき、また、自然なシルエットを作り出し、かつ、デザイン性に優れたセパレート水着を提供せんとするにある。
【課題を解決するための手段】
【０００５】
本考案のセパレート水着は前記した目的を達成せんとするもので、その手段は、トップとボトムからなるセパレート水着において、前記トップは、その左右身頃の下端部から丈方向に２つの紐通し穴を有し、該紐通し穴に紐を連通して２本の紐を下端から露出させ、下端から露出した紐により前記トップの丈方向を引き上げてトップの左右長さをギャザーを生じさせることによって調節可能としたことを特徴とする。
【考案の効果】
【０００６】
本考案のセパレート水着は前記したように、トップとボトムからなるセパレート水着において、前記トップは、その左右身頃の下端部から丈方向に２つの紐通し穴を有し、該紐通し穴に紐を連通して２本の紐を下端から露出させ、下端から露出した紐により前記トップの丈方向を引き上げてトップの左右長さを調節可能としたので、妊婦のお腹の膨らみに応じて腹部被いのサイズをギャザーによって調整することができ、従って、自然なシルエット作り、デザイン性にも優れているものである。
【考案を実施するための最良の形態】
【０００７】
本考案は、セパレート水着の側面に紐を通し、該紐を引っ張ることで妊婦の腹部の出方に応じて覆うことができる。
【０００８】
以下、本考案に係るセパレート水着の実施形態を図面を参照しながら説明する。
ここで、図１は本考案に係るセパレート水着の正面図、図２は図１の側面図、図３は紐を結ぶ前の状態を示す側面図、図４は紐を結んだ後の状態を示す側面図である。
【０００９】
符号１は、本考案に係るセパレート水着を示している。該セパレート水着１は、着用者の上半身を包むトップ２と、下半身を包むボトム３とから構成されている。
前記トップ２には、その左右身頃の下端部から丈方向に２つの紐通し穴２１，２２が設けられている。また、この紐通し穴２１，２２には１本の紐２３が連通されている。
【００１０】
前記ボトム３は、特に限定はないが、妊婦が着用できるように、腹部に伸張性のあるものが望ましい。
【００１１】
このような構成を採用したセパレート水着１を着用する場合は、図３に示すように紐２３を結ぶ前の状態から、紐２３を引張りトップ２の丈の長さを調整しながら腹部を被うように調整する。そして、お腹の膨らみに合わせて腹部が被えたら、図４に示すように紐２３を結ぶ。
【００１２】
このように、本考案に係るセパレート水着は、紐２３によってトップ２の丈の長さを調節することによって、妊婦のお腹の膨らみに応じて腹部被いのサイズをギャザーによって調整することができる。また、自然なシルエットを作り出すことができデザイン性にも優れている。
【００１３】
なお、上記実施形態においては、一本の紐を折り返して使用した場合について説明したが、二本の紐を紐通し穴２１，２２のそれぞれに通して使用してもよい。また、トップの左右身頃に紐通し穴及び紐を設けた例で説明したが、左右身頃の何れか一方のみに形成した場合であっても同様に妊婦のお腹の膨らみに応じて腹部被いのサイズを調整することができる。
【産業上の利用可能性】
【００１４】
本考案は妊婦用のセパレート水着として説明したが、妊婦以外にも使用でき、また、水着に限らず運動着としても適用できることは言うまでもない。
【図面の簡単な説明】
【００１５】
【図１】本考案に係るセパレート水着の正面図である。
【図２】図２は図１の側面図である。
【図３】紐を結ぶ前の状態を示す側面図である。
【図４】紐を結んだ後の状態を示す側面図である。
【符号の説明】
【００１６】
１  ・・・セパレート水着
２  ・・・トップ
２１・・・紐通し穴
２２・・・紐通し穴
２３・・・紐
３  ・・・ボトム
【図１】
0003111235.tif 000003
【図２】
0003111235.tif 000004
【図３】
0003111235.tif 000005
【図４】
0003111235.tif 000006
(57)【要約】【課題】  水泳やビーチバレー等と言ったアクティブな動きに対してもトップの捲れ上がりによる腹部の露出を防止したセパレート水着を提供すること。【解決手段】  トップ２とボトム３からなるセパレート水着１において、前記トップ２を、表地２１と裏地２２とを前記表地の裏側の襟刳り２２ａ及び肩口２２ｂとでのみ縫製し、裏地の下端部を表地に対して自由な状態とすることで、着用時には前記ボトムの内側に前記裏地の下端部を入れ込むことで裏地の捲くり上がりを防止したことを特徴とする。【選択図】  図３
0003111234.tif 000002
【実用新案登録請求の範囲】
【請求項１】
トップとボトムからなるセパレート水着において、前記トップを、表地と裏地とを前記表地の裏側の襟刳り及び肩口とでのみ縫製し、裏地の下端部を表地に対して自由な状態とすることで、着用時には前記ボトムの内側に前記裏地の下端部を入れ込むことで裏地の捲くり上がりを防止したことを特徴とするセパレート水着。
【考案の詳細な説明】
【技術分野】
【０００１】
本考案は、トップとボトムからなるセパレート水着の改良、特に、トップ側の水着が捲くれ上がって腹部が露出しないようにしたセパレート水着に関する。
【背景技術】
【０００２】
セパレート水着は、肌の露出を嫌う女性や寒さにも強いことから多用されている。一般的なセパレート水着は、体の上半身を包むトップと下半身を包むボトムとから構成されている。
【考案の開示】
【考案が解決しようとする課題】
【０００３】
しかしながら、トップとボトムとは連結されていないため、水泳やビーチバレー等と言ったアクティブな動きをした場合にトップが捲れ上がり腹部が露出してしまうという問題があった。
【０００４】
本考案は前記した問題点を解決せんとするもので、その目的とするところは、水泳やビーチバレー等と言ったアクティブな動きに対してもトップの捲れ上がりによる腹部の露出を防止したセパレート水着を提供することにある。
【課題を解決するための手段】
【０００５】
本考案のセパレート水着は前記した目的を達成せんとするもので、その手段は、トップとボトムからなるセパレート水着において、前記トップを、表地と裏地とを前記表地の裏側の襟刳り及び肩口とでのみ縫製し、裏地の下端部を表地に対して自由な状態とすることで、着用時には前記ボトムの内側に前記裏地の下端部を入れ込むことで裏地の捲くり上がりを防止したことを特徴とする。
【考案の効果】
【０００６】
本考案のセパレート水着は、前記したようにトップとボトムからなるセパレート水着において、前記トップを、表地と裏地とを前記表地の裏側の襟刳り及び肩口とでのみ縫製し、裏地の下端部を表地に対して自由な状態としたので、着用時には前記ボトムの内側に前記裏地の下端部を入れ込むことにより、水泳やビーチバレー等と言ったアクティブな動きに対してもトップの捲れ上がり腹部が露出してしまうことを防止することができるものである。
【考案を実施するための最良の形態】
【０００７】
本考案は、表地に対して裏地を襟刳り及び肩口とでのみ縫製して裏地を自由な状態とし、該裏地をボトムの内側に入れ込むことで腹部の露出を防止した。
【実施例】
【０００８】
以下、本考案に係るセパレート水着の実施形態を図面を参照しながら説明する。
ここで、図１は本考案に係るセパレート水着の正面図、図２は図１の側面図、図３はトップを捲り上げた状態を示す正面図、図４は図３の斜視図である。
【０００９】
符号１は、本考案に係るセパレート水着を示している。該セパレート水着１は、着用者の上半身を包むトップ２と、下半身を包むボトム３とから構成されている。
前記トップ２は、表地２１と、その表地２１の裏側に上端部の襟刳り２２ａ及び肩口２２ｂを縫製し、下端部の裾２２ｃを前記表地２１と縫製することなく自由な状態とした裏地２２とから構成されている。
【００１０】
前記ボトム３は、特に限定はないが、後述のように、前記裏地２２をボトム３の内側に入れ込むことから、腰部にフィット感のあるものであることが望ましい。
【００１１】
このような構成を採用したセパレート水着１は、図３及び図４に示すように、着用時にはトップ２の裏地２２の下端部である裾２２ｃをボトム３の内側に入れ込む。これにより、水泳やビーチバレー等と言ったアクティブな動きに対してもトップ２が捲れ上がっても裏地２２があるため、腹部が露出してしまうことを防止することができる。
【産業上の利用可能性】
【００１２】
本考案はセパレート水着として説明したが、水着に限らず運動着としても適用できることは言うまでもない。
【図面の簡単な説明】
【００１３】
【図１】本考案に係るセパレート水着の正面図である。
【図２】図２は図１の側面図である。
【図３】図トップを捲り上げた状態を示す正面図である。
【図４】図３の斜視図である。
【符号の説明】
【００１４】
１  ・・・セパレート水着
２  ・・・トップ
２１・・・表地
２２・・・裏地
２２ａ・・襟刳り
２２ｂ・・肩口
２２ｃ・・裾
３  ・・・ボトム
【図１】
0003111234.tif 000003
【図２】
0003111234.tif 000004
【図３】
0003111234.tif 000005
【図４】
0003111234.tif 000006
(57)【要約】【課題】  骨壷が位牌を兼ねた納骨堂用骨壷である。【解決手段】  納骨堂用骨壷１は、遺骨を収容する筒状本体２と、その本体の上端の開口を塞ぐ内蓋と、該内蓋を覆う外蓋５からなる。本体２の側面の一面に、周囲の金色に対し黒色に塗り分けることによって、戒名その他を表示する縦長の表示部６を設けている。本体２は、下部２ｂを台形状に膨出して、骨壷１が位牌に似た外観を呈するようにし、また本体２、外蓋５の側壁の角部を細幅の面取り部２ａ、５ａに形成し、骨壷１に位牌としての高級感を出すために、その面取り部を周囲の面の金色に対し黒色に着色した。骨壷１は位牌を兼ねることができるので、納骨堂に骨壷以外に別途位牌を置く必要がなく、納骨堂に遺骨を安置するのに好都合である。【選択図】  図１
0003111238.tif 000002
【実用新案登録請求の範囲】
【請求項１】
遺骨を収容する筒状本体と、その本体の上端の開口を塞ぐ蓋とからなる、納骨堂に安置する骨壷であって、前記本体の側面に戒名その他を表示する表示部が形成されたことを特徴とする納骨堂用骨壷。
【請求項２】
前記表示部を周囲の色と異なる色とすることによって形成したことを特徴とする請求項１記載の納骨堂用骨壷。
【請求項３】
前記骨壷がプラスチック製であることを特徴とする請求項１または２記載の納骨堂用骨壷。
【請求項４】
前記骨壷が断面四角形の角筒体であることを特徴とする請求項１〜３のいずれかの項に記載の納骨堂用骨壷。
【考案の詳細な説明】
【技術分野】
【０００１】
本考案は、納骨堂に遺骨を安置するのに使用する骨壷に関する。
【背景技術】
【０００２】
近年、都市部では、墓地用地の不足や、必ずしも墓地のお墓に納骨することにこだわらない考えなどから、納骨堂に遺骨を納骨する方法が取り入れられつつある。
【０００３】
しかしながら、従来は、納骨堂に遺骨を収容した骨壷を置く場所とは別に位牌を置く必要があった。
【考案の開示】
【考案が解決しようとする課題】
【０００４】
本考案の課題は、上記の現状から、骨壷が位牌を兼ねた納骨堂用骨壷を提供することである。
【課題を解決するための手段】
【０００５】
上記課題を解決するために、本考案の納骨堂用骨壷は、遺骨を収容する筒状本体と、その本体の上端の開口を塞ぐ蓋とからなる、納骨堂に安置する骨壷であって、前記本体の側面に戒名その他を表示する表示部が形成されたことを特徴とする。
【０００６】
本考案によれば、前記表示部を周囲の色と異なる色とすることによって形成することができる。また前記骨壷がプラスチック製とすることができる。前記骨壷を断面四角形の角筒体とすることができる。
【考案の効果】
【０００７】
本考案の骨壷によれば、側面に戒名その他を表示する表示部を設けたので、骨壷が位牌を兼ねることができ、このため納骨堂に骨壷以外に別途位牌を置く必要がなく、納骨堂に遺骨を安置するのに好都合である。
【考案を実施するための最良の形態】
【０００８】
以下、図面を参照して本考案の実施例を詳述する。図１は本考案の納骨堂用骨壷の一実施例を示す正面図、図２は同じく断面図、図３は分解斜視図である。
【０００９】
本実施例の骨壷１は、遺骨を収容する断面四角形の筒状本体２と、その本体２の上端の開口部３を塞ぐ内蓋４と、該内蓋４を覆う外蓋５とからなっており、本発明の最大の特徴は、本体２の側面の一面を正面として、そこに戒名等を書く縦長の表示部６を形成して、骨壷１が位牌としても機能するようにしていることである。本実施例では、表示部６を周囲の金色に対し黒色に塗り分けることにより形成した。表示部は、戒名等を書いた札板等を取付ける構造にしてもよい。
【００１０】
本体２は、下部２ｂを台形状に膨出して、骨壷１が位牌に似た外観を呈するようにしている。また本体２、内蓋４および外蓋５の側壁の角部を細幅の面取り部に形成しており、その本体２および外蓋５の面取り部２ａ、５ａは、骨壷１に位牌としての高級感を出すために、周囲の面の金色に対し黒色に着色している。内蓋４には上側に突出したつまみ４ｂが設けてあり、内蓋４の色は黒色である。これら本体２、内蓋４、外蓋５は硬質のプラスチックで形成した。
【００１１】
本体２の上端には、本体２の内面に連続する段部２ｃが形成され、この段部２ｃに鍔部４ａが係合する鍔が付いた皿状の内蓋４が被されて、内蓋４で本体２の上端の開口部３が塞がれ、段部２ｃの外面に側壁５ｂが当接する鍔なしの皿状の外蓋５が被されて、外蓋５で内蓋４が覆われる。内蓋４を覆った外蓋５の側面は、本体２の側面と平滑に連続する。
【００１２】
本実施例の骨壷１の寸法を挙げれば、高さ約２３００ｍｍ、幅７００ｍｍ、台状の下部２ｃの幅９００ｍｍであり、遺骨は粉状に粉砕して、その適量を本体２内に収容する。勿論、骨壷１の寸法はこれに限られず、骨壷１をより大きくして遺骨の全量を収容するようにしてもよい。
【００１３】
本実施例の骨壷１は以上のように構成され、側面の一所に戒名その他を表示する表示部６を設けたので、骨壷に位牌を兼ねさせることができ、このため納骨堂に骨壷以外に別途位牌を置く必要がなく、納骨堂に遺骨を安置するのに好都合である。
【００１４】
以上の実施例では、骨壷１の断面形状を四角形としたが、本考案はこれに限られず、骨壷の側面に表示部６を設ける平面部があれば、四角以外の多角形でも、円形でも、あるいは曲面部と平面部とを有する異形でもよい。また材料はプラスチックが安価で好ましいが、ステンレス等の金属や御影石等の石材でもよく、さらには木材であってもよい。
【図面の簡単な説明】
【００１５】
【図１】本考案の納骨堂用骨壷の一実施例を示す正面図である。
【図２】骨壷の断面図である。
【図３】骨壷の分解斜視図である。
【符号の説明】
【００１６】
１    納骨堂用骨壷                    ２    本体
２ａ  面取り部                        ２ｂ  下部
３    開口部                          ４    内蓋
５    外蓋                            ６    表示部
【図１】
0003111238.tif 000003
【図２】
0003111238.tif 000004
【図３】
0003111238.tif 000005
(57)【要約】【課題】液晶モジュールに表示される明暗区を改善するバックライトモジュールの光源装置を提供する。【解決手段】バックライトモジュールの光源装置は、ライト管とライト管の距離を内から外に向けて徐々に減らし、各ライト管両側の配列が中央に比べて集中するように配列し、強い光線を形成し、反射光カバー両側の暗区域が改善される。【選択図】図2
0003111274.tif 000002
【実用新案登録請求の範囲】
【請求項１】
内から外に向けて順に反射光カバー、複数の光源、拡散板、複数枚の光学膜片及び液晶面板から構成されたバックライトモジュールの光源装置において、バックライトモジュール内のライト管とライト管の間の距離を外から内向きに徐々に減らし、各ライト管を反射光カバーの両側に集中するように配列し、強い光線を形成することによって、反射光カバー両側の暗区域を改善し、公知の液晶面板に現われる明暗区の課題を有効に改善することを特徴とするバックライトモジュールの光源装置。
【請求項２】
内から外に向けて順に反射光カバー、複数の光源、拡散板、複数枚の光学膜片及び液晶面板から構成されたバックライトモジュールの光源装置において、バックライトモジュール内のライト管が中間から両側に向けて、ライト管と反射光カバー底部の垂直距離を増やし、反射光カバー両側のライト管が最も拡散板に近く設置することにより、強い光線を形成し、反射光カバー両側の暗区域を改善し、公知の液晶面板に現われる明暗区の課題を有効に改善することを特徴とするバックライトモジュールの光源装置。
【請求項３】
前記バックライトモジュールは、内部のライト管とライト管の間の距離を内から外に向けて徐々に減らし、各ライト管が反射光カバー両側に集中して配列することを特徴とする請求項2記載のバックライトモジュールの光源装置。
【考案の詳細な説明】
【技術分野】
【０００１】
本考案は、バックライトモジュールの光源装置に関するものである。
【背景技術】
【０００２】
図1は液晶モニターの公知のバックライトモジュール構造断面図である。バックライトモジュールの全体構造は、内から外に向かって、反射光カバー10、複数の光源、拡散板30、複数の光学膜片40、及び液晶面板50から構成される。そのうち、各光源は直線状、もしくはU字型、もしくはその他連続湾曲形状のライト管20で、適する問隔で反射光ライトカバー10と拡散板30の間に設置し、反射光カバー10上に固定する。この液晶モジュールの表示効果は、各ライト管20から照射される光線によって構成される。
【０００３】
しかしながら、このライト管20は、適する距離で反射光カバー10と拡散板30の間に固定されるため、その光線は各ライト管20上方が最も輝度が高くなり、ライト管20とライト管20の間の光線は、輝度がやや落ちた区域となり、更に反射光カバー10両側の区域は最も暗くなり、液晶モジュールには明暗区域が形成される。
【考案の開示】
【考案が解決しようとする課題】
【０００４】
解決しようとする問題点は、液晶モジュールに明暗区域が形成される点である。
【課題を解決するための手段】
【０００５】
本考案は、ライト管とライト管の距離を内から外に向けて徐々に減らし、各ライト管両側の配列が中央に比べて集中するように配列し、強い光線を形成し、反射光カバー両側の暗区域が改善されることを最も主要な特徴とする。
【考案の効果】
【０００６】
本考案のバックライトモジュールの光源装置は、明暗区域を有効に改善するという利点がある。
【考案を実施するための最良の形態】
【０００７】
以下、本考案の実施例について、図面を参照しながら説明する。
【実施例１】
【０００８】
図2に示すとおり、内から外に向けて順に反射光カバー10、複数の光源、拡散板30、複数枚の光学膜片40、及び保護面板50を設置する。そのうち、各光源は直線状、もしくはU字型、もしくはその他湾曲状のライト管20とし、それを反射光カバー10と拡散板30の間に設置する。液晶モジュールの表示効果は、各ライト管20が照射する光線によって構成される。
【０００９】
バックライトモジュールの反射光カバー10中央位置に第一ライト管21を設置し、その両側に順に第二、第三、第四ライト管2,23,24を設置する。これらの隣合うライト管の距離をそれぞれH1,H2,H3とし、更に距離幅の比率は、H1>H2>H3とする。各ライト管20を反射光カバー10両側に集中して配列することにより、両側に強い光線が形成され、反射光カバー10両側の暗区域を改善する。
【実施例２】
【００１０】
反射光カバー10の第一ライト管21から第四ライト管の24の設置方式として、図３に示すとおり、第二、第三及び第四ライト管22,23,24と反射光カバー10底部の垂直距離をH4,H5,H6とし、且つ距離幅の比率は、H4<H5<H6で、更にH4,H5,H6は、共に反射光カバー10と拡散板30の距離より小さい。つまり反射光カバー10両側の第四ライト管24が最も拡散板30に近く、強い光線となり、反射光カバー10両側の暗区域を改善する。
【実施例３】
【００１１】
もちろん、図4に示すとおり、隣合う二つのライト管の間の距離をH1,H2,H3とし、且つH1>H2>H3のように配列し、各ライト管20を反射光カバー10両側に集中させてもよい。
【図面の簡単な説明】
【００１２】
【図１】公知のバックライトモジュール構造断面図である。
【図２】本考案第一実施例の反射光カバーと光源装置の構造断面図である。
【図３】本考案第二実施例の反射光カバーと光源装置の構造断面図である。
【図４】本考案第三実施例の反射光カバーと光源装置の構造断面図である。
【符号の説明】
【００１３】
10  反射光カバー
20  ライト管
21  第一ライト管
22  第ニライト管
23  第三ライト管
24  第四ライト管
30  拡散板
40  光学膜片
50  保護面板
【図１】
0003111274.tif 000003
【図２】
0003111274.tif 000004
【図３】
0003111274.tif 000005
【図４】
0003111274.tif 000006
(57)【要約】【課題】全ての製造メ−カの洋式便器の蓋及び便座にワンタッチで装着でき、かつ安価な洋式便器用取っ手部材の提供【解決手段】この考案の洋式便器用取っ手部材、Ｌ字状部材１のいずれか一方の外側面２に粘着層３を設けて構成されており、洋式便器の蓋４及び便座５の適当な箇所の側面ｃに粘着層３を押し当て接着させることにより、ワンタッチで装着でき、洋式便器の蓋４及び便座５を上げ下げする際には、取っ手部材を掴み行うことができるため、蓋４及び便座５を直接手で掴まなくてよいので、衛生的である。【選択図】 図２
0003111216.tif 000002
【実用新案登録請求の範囲】
【請求項１】
Ｌ字状部材（１）のいずれか一方の外側面（２）に粘着層（３）を設けてなることを特徴とする洋式便器用取っ手部材
【考案の詳細な説明】
【技術分野】
【０００１】
この考案は、洋式便器の蓋及び便座に取り付ける洋式便器用取っ手部材に関するものである。
【背景技術】
【０００２】
蓋又は便座を上げ下げして用を足すように構成されている洋式便器では、蓋及び便座に取っ手が付いていないので、例えば、前記蓋及び便座が下りている場合、男性が小便をする際には、前記蓋及び便座を直接手で掴み、上げなければならなかったので、不衛生であるという問題点があった。
【０００３】
また、女性が用をたす際には、前記蓋を直接手で掴み、上げなければならなかったので、不衛生であるという問題点があった。
【０００４】
前記問題点を解消するために、既設の洋式便器の蓋又は便座に装着するために、磁石による吸着手段を利用した取っ手等が提案されている。
【０００５】
しかし、これらの取っ手は構造が比較的複雑であるため、装着作業が面倒であり、かつ高価であるという欠点と、製造メ−カによっては、洋式便器の構造が異なるので、全ての製造メ−カの洋式便器に適用できないという欠点があった。
【０００６】
【特許文献１】特開２００２−３５５１８９号公報
【考案の開示】
【考案が解決しようとする課題】
【０００７】
この考案は、背景技術で記述した問題点及び欠点を解消するためになされたもので、全ての製造メ−カの洋式便器の蓋及び便座にワンタッチで装着でき、かつ安価な洋式便器用取っ手部材の提供を目的とするものである。
【課題を解決するための手段】
【０００８】
この考案の洋式便器用取っ手部材は、Ｌ字状部材のいずれか一方の外側面に粘着層を設けてなることを特徴とするものである。
【考案の効果】
【０００９】
この考案は上述のように構成されているので、次のような効果を呈する。
（１）洋式便器の蓋及び便座の側面に、粘着層を押し当て、接着させるだけで装着できるので、装着が簡単で、ワンタッチで行える。
（２）洋式便器の蓋及び便座を上げ下げする際に、蓋及び便座を直接手で掴まなくてよいので、衛生的である。
（３）洋式便器の蓋及び便座の側面に装着する方式であるので、全ての製造メ−カの洋式便器に適用できる。
（４）構造が簡単であるので、安価に量産ができる。
【考案を実施するための最良の形態】
【００１０】
全ての製造メ−カの洋式便器の蓋及び便座にワンタッチで装着でき、かつ安価な洋式便器用取っ手部材の提供という目的をＬ字状部材と粘着層の組合せにより実現できた。
【実施例】
【００１１】
この考案の実施の形態の一例を図面を参照しながら説明するに、図１〜図２に示すように、Ｌ字状部材１のいずれか一方の外側面２に粘着層３を設けている。
【００１２】
なお、図２において、ａは粘着層３の表面に貼付した剥離紙であり、洋式便器の蓋４及び便座５に装着する際には除去される。また、粘着層３としては、市販の両面粘着テ−プなどを適用できる。
【００１３】
図１（ａ）は、Ｌ字状部材１の一実施例を示す斜視図で、上面ｂの厚さを厚くし、掴み易くしている。
【００１４】
図１（ｂ）は、Ｌ字状部材１の別の一実施例を示す斜視図で、上面ｂの厚さを厚くし、掴みやすくするとともに、外側面２を若干湾曲させている。本願の取っ手部材は、特に、洋式便器の蓋４及び便座５の湾曲部に装着したい場合に適用される。
【００１５】
図１（ｃ）は、Ｌ字状部材１の別の一実施例を示す斜視図で、上面ｂの先端部に丸味を付与して、柔らかいデザインにしている。なお、上面ｂの形状については、図１（ａ）〜（ｃ）に示す形状に限定されるものではなく、適宜に変更することができる。
【００１６】
Ｌ字状部材１には、硬質プラスチックなどが適用でき、通常、Ｌ字状部材１の色調は洋式便器の色にマッチするように調整されているが、これに限定されるものではない。
【００１７】
なお、幼児がいる家庭では、幼児の関心をひき、興味をもって、取っ手を使用するように、上面ｂの表面に漫画のキャラクタ−などを描いたワッペンなどを貼付するか、または注意を喚起できるような色彩を施してもよい。
【００１８】
実施に際しては、図３〜図４に示すように、まず、粘着層３に貼付されている剥離紙ａを除去したのち、洋式便器の蓋４及び便座５の適当な箇所の側面ｃに粘着層３を押し当て接着させる。
【００１９】
洋式便器の蓋４及び便座５を上げ下げの際には、本願の取っ手部材を掴み行うことができ、蓋４及び便座５を直接手で掴まなくてよいので、衛生的である。
【００２０】
本願の取っ手部材は、既設の洋式便器に適用できるように考案したものであるが、新規の洋式便器においては、便器製造の際に、取っ手を蓋４及び便座５に一体に設置してもよい。
【産業上の利用可能性】
【００２１】
この考案は上述のように構成されているので、既設の洋式便器の蓋及び便座に簡単に取り付けられる取っ手部材としての利用が可能である。
【図面の簡単な説明】
【００２２】
【図１】Ｌ字上部材の斜視図
【図２】考案の一実施例を示す斜視図
【図３】使用例を示す概略図
【図４】図３において、点線で囲んだ部分の拡大斜視図
【符号の説明】
【００２３】
１ Ｌ字状部材
２ 外側面
３ 粘着層
４ 蓋
５ 便座
ａ 剥離紙
ｂ 上面
ｃ 側面
【図１】
0003111216.tif 000003
【図２】
0003111216.tif 000004
【図３】
0003111216.tif 000005
【図４】
0003111216.tif 000006
(57)【要約】  【課題】  本体と嵌合体が緊密に合体され、剥落や割れが起こりにくく、使用時間に伴い外観の模様が変化し、面白みがある石鹸の提供。  【解決手段】  本考案の石鹸は、本体と嵌合体から成り、そのうち、本体上に複数の曲面を設け、且つ、曲面上にさらに柱体を連続して設け、該嵌合体は複数の曲面及び嵌入空間から構成され、且つ、前記曲面が相互に連結・合体され、さらに該柱体と嵌入空間が緊密に合体され、該嵌合体と本体を相互に合体することを特徴とする。  【選択図】    図２ 
0003111220.tif 000002
【実用新案登録請求の範囲】
【請求項１】
本体と嵌合体から成り、そのうち、本体上に複数の曲面を設け、且つ、曲面上にさらに柱体を連続して設け、該嵌合体は複数の曲面及び嵌入空間から構成され、且つ、前記曲面が相互に連結・合体され、さらに該柱体と嵌入空間が緊密に合体され、該嵌合体と本体を相互に合体した構成から成ることを特徴とする石鹸。
【請求項２】
使用者が本考案を一定時間使用し、外観の形状が変化した後、本体と嵌合体の内部が不規則な形状であるため、外観の模様が変化することを特徴とする、請求項１に記載の石鹸。
【考案の詳細な説明】
【技術分野】
【０００１】
本考案は石鹸に関し、詳細には、本体を成形型で形成し、且つ、該本体上に複数の曲面及び柱体を嵌合体の曲面と嵌入空間に合わせて設け、接触面積が大きく相互に嵌合して形成することにより、該本体と嵌合体が緊密に接合され、剥落や割れが起きない石鹸に関する。
【背景技術】
【０００２】
図１に示すように、従来品は２つの材質Ａ、Ｂを接合する際、接触面積が小さく、平面方式の結合であるため、剥落や分離、割れ等が起こりやすく、使用者にとっては不便である。また、通常両面の図案は同じであり、特別な形状は備えておらず、往々にして使用者が楽しむことができないものとなっている。
【０００３】
このため、上述の欠点をいかに排除するかが、本考案が解決する技術的困難点である。
【考案の開示】
【考案が解決しようとする課題】
【０００４】
本考案の目的は、本体と嵌合体が緊密に合体され、剥落や割れが起こりにくく、使用時間に伴い外観の模様が変化し、面白みがある石鹸を提供することにある。
【課題を解決するための手段】
【０００５】
本考案の石鹸は、本体と嵌合体から成り、そのうち、本体上に複数の曲面を設け、且つ、曲面上にさらに柱体を連続して設け、該嵌合体は複数の曲面及び嵌入空間から構成され、且つ、前記曲面が相互に連結・合体され、さらに該柱体と嵌入空間が緊密に合体され、該嵌合体と本体を相互に合体することを特徴とする。
【考案の効果】
【０００６】
本考案の多元性、嗜好性及び実用性をよりはっきりさせるため、以下、従来品と比較して分析する。
【０００７】
「従来品の欠点」
１、割れや分離、剥落が起こりやすい。
２、模様が単調でつまらない。
３、進歩性がない。
４、実用性がない。
【０００８】
「本考案の利点」
１、緊密に合体され、剥落や割れが起こりにくい。
２、使用時間に伴い模様が変化する。
３、面白みがある。
４、産業的利用価値がある。
【考案を実施するための最良の形態】
【０００９】
本考案の石鹸について、以下、具体的な実施例と図面に基づき詳細に説明する。
【００１０】
図２、図３、図４に示すように、本考案の石鹸は本体２、嵌合体３から構成される。そのうち、本体２上に複数の曲面４、５、６を設け、且つ、曲面６上にさらに柱体９を設ける。嵌合体３は、複数の曲面７、８及び嵌入空間１０から構成される。これらの曲面４、５、６、７、８を相互に連結・嵌合し、さらに、柱体９と嵌入空間１０を緊密に嵌合させる（図５参照）と、嵌合体３を本体１上に嵌置して相互に合体させることができる。
【００１１】
図６、図７に示すように、使用者が本考案の石鹸を使用するときには、一定時間使用して外観の形状が変わると、本体２と嵌合体３内部は不規則な形状であるため、外観の模様が変化し、使用上より面白く、実用的である。
【００１２】
上述のように、本考案は先行技術を打破する構造下で確実にその目的とする効果が増進され、また、この技術に特に詳しい者でなくとも容易に理解することができ、さらに、本考案の出願以前に公開されたことがなく、その進歩性と実用性は実用新案登録出願の要件を満たしているため、法に基づきここに実用新案登録を出願するものである。
【図面の簡単な説明】
【００１３】
【図１】従来品の立体斜視図である。
【図２】本考案の石鹸の結合後の状態を示す立体外観斜視図である。
【図３】本考案の石鹸の本体部分の立体図である。
【図４】本考案の石鹸の嵌合体部分の立体図である。
【図５】本考案の石鹸の結合後の状態を示す断面図である。
【図６】本考案の石鹸を一定時間使用した後の状態を示す立体斜視図１である。
【図７】本考案の石鹸を一定時間使用した後の状態を示す立体斜視図２である。
【符号の説明】
【００１４】
１        従来の石鹸
２        本体
３        嵌合体
４、５、６、７、８    曲面
９        柱体
１０      嵌入空間
【図１】
0003111220.tif 000003
【図２】
0003111220.tif 000004
【図３】
0003111220.tif 000005
【図４】
0003111220.tif 000006
【図５】
0003111220.tif 000007
【図６】
0003111220.tif 000008
【図７】
0003111220.tif 000009
(57)【要約】【課題】容器本体を濡れた手や泡等の石鹸成分が付着した手で把持しても、容器本体の注出具の頂部を押圧する場合に確実に押圧できるようにする。【解決手段】口部２に注出具４を設けた容器本体１の上部側外周の手で把持する部分に、複数の滑り止め突起７を設ける。【選択図】図１
0003111211.tif 000002
【実用新案登録請求の範囲】
【請求項１】
容器本体上部側外周の手で把持する部分に、複数の滑り止め突起を設けたことを特徴とする容器。
【請求項２】
容器本体はプラスチック製或はガラス製又は陶器製若しくは金属製である請求項１記載の容器。
【請求項３】
滑り止め突起は容器本体と一体に形成されている請求項１又は２記載の容器。
【請求項４】
滑り止め突起は容器本体に貼着されている請求項１又は２記載の容器。
【請求項５】
滑り止め突起はゴム系物質である請求項４記載の容器。
【請求項６】
滑り止め突起は容器本体の外周に４個設けられている請求項１乃至５の何れかに記載の容器。
【請求項７】
容器本体の口部には、頂部を押圧することにより内容物を注出させる注出具が設けられている請求項１乃至６の何れかに記載の容器。
【考案の詳細な説明】
【技術分野】
【０００１】
本考案は、例えば、化粧水、シャンプ、リンス、ボディソープ、ハンドソープ、洗顔フォーム、染毛剤、飲料、殺虫剤等に用いられる容器に関し、特に手で把持して使用する容器に関するものである。
【背景技術】
【０００２】
例えば、従来から、化粧水やシャンプ等の化粧品やトイレタリー製品の容器として、片手で容器を把持したまま指で容器本体の口部に設けた注出具の頂部を押圧し、内容物を注出させて使用するハンディータイプの容器がある。
【考案の開示】
【考案が解決しようとする課題】
【０００３】
しかしながら、このような容器は、濡れた手、泡等の石鹸成分の付着した手で把持すると、手が滑って力が入らず、注出具を押せない、或は押し難いという問題があった。
【０００４】
本考案は、上述の実情に鑑み、手が濡れたり、泡等の石鹸成分が付着した手で容器本体を把持して注出具の頂部を押圧する場合にも確実に注出具を押圧できるようにした容器を提供することを目的としてなしたものである。
【課題を解決するための手段】
【０００５】
本考案の容器は、容器本体上部側外周の手で把持する部分に、複数の滑り止め突起を設けたものである。又、本考案の容器においては、容器本体はプラスチック製或はガラス製又は陶器製若しくは金属製であり、滑り止め突起は容器本体と一体に形成されているか、或は、容器本体に貼着されており、更に、滑り止め突起はゴム系物質であり、更に又、滑り止め突起は容器本体の外周に４個設けられており、容器本体の口部には、押圧することにより内容物を注出させる注出具が設けられている。
【考案の効果】
【０００６】
本考案の請求項１〜７記載の容器によれば、使用時に濡れた手や、或は泡等の石鹸成分が付着した手で容器本体を把持して使用する場合でも、手が滑ることなく確実に注出具の頂部を押圧することができるという優れた効果を奏し得る。
【考案を実施するための最良の形態】
【０００７】
以下、本考案の実施の形態を添付図面を参照しつつ説明する。
図１、図２は本考案を実施する形態の一例である。図中、１はビン状の容器本体、２は容器本体１の上端に一体的に形成した細首中空状の口部であり、容器本体１の上端部には円弧状の肩部１ａが形成されている。容器本体１の断面形状は、図示例では円形状であるが、楕円形状でも、三角形状、四角形状、五角形状等の多角形状でも良い。
【０００８】
３は口部２の外周雄ねじ部に螺合した蓋体であって、その上端に、頂部を指で押圧することができる従来周知構造の注出具４を備えており、注出具４の頂部を押圧することにより、容器本体１の内部に延在する可撓性管５を通った液状或はゲル状の内容物を注出孔６から注出させるようになっている。又、注出具４は円周方向へ回動し得るようにもなっている。
【０００９】
而して、容器本体１には、ペット樹脂、ポリエチレン等のプラスチック、ガラス、陶器、アルミ等の金属が用いられ、ノズル２や蓋体３には、ポリプロピレン、ポリエチレン等のプラスチック、アルミ等の金属が用いられる。
【００１０】
容器本体１の外周上部における肩部１ａ近傍には、円周方向へ所定の間隔で複数の滑り止め突起７が設けられている。滑り止め突起７は人が手により容器本体１を把持した際に滑り難い位置に配置する。なお、図示例では滑り止め突起７は４個設けているが、複数なら何個設けても良い。
【００１１】
又、滑り止め突起７は、例えば半球状で、直径約１０ｍｍ、高さ約２ｍｍであり、容器本体１を成形するための金型内の所定位置に半円形状の凹所を設けておき、容器本体１と一体に成形する。ただし、滑り止め突起７は、ゴム系物質で、例えばシリコンゴム製とし、接着材により容器本体１に貼着するようにしても良い。又、滑り止め突起７は透明でも、着色されたものでも良い。
なお、図中、８は蓋体３の注出具４に被せるキャップである。
【００１２】
容器本体１内に収納されている内容物を使用する場合には、使用者は手で容器本体１の上部外周を、滑り止め突起７の部分を含めて把持するよう手に持ち、人差し指により注出具４の頂部を容器本体１の下方へ向けて押圧する。そうすると、液状或はゲル状の内容物は可撓性管５を通って注出孔６から注出される。
【００１３】
本図示例においては、容器本体１には滑り止め突起７が設けてあるため、使用時に濡れた手や、或は泡等の石鹸成分が付着した手で容器本体１を把持しても、手が滑ることなく確実に注出具４の頂部を押圧することができる。
【００１４】
なお、本考案の容器は、上記した実施の形態に限定されるものではなく、本考案の要旨を逸脱しない範囲内において種々変更を加え得ることは勿論である。
【図面の簡単な説明】
【００１５】
【図１】本考案の容器の実施の形態の一例を示す正面図である。
【図２】図１の平面図である。
【符号の説明】
【００１６】
１  容器本体
２  口部
４  注出具
７  突起
【図１】
0003111211.tif 000003
【図２】
0003111211.tif 000004
(57)【要約】【課題】人体のネック部を良好に支持し、使用者の寝そべる快適性が大幅に向上し、且つヘッド部を適当に定位することにより、使用者のヘッド部が枕から転落しないネック保護用枕を提供する。【解決手段】内部に繊維や綿や羽などが充填されたネック保護用枕において、前記枕の中央部には裁縫によって形成された窪み部分が設けてあり、前記枕の中央部が周縁部分よりやや低くになることを特徴とするネック保護用枕。【選択図】図１
0003111294.tif 000002
【実用新案登録請求の範囲】
【請求項１】
内部に繊維や綿や羽などが充填されたネック保護用枕において、
前記枕の中央部には裁縫によって形成された窪み部分が設けてあり、前記枕の中央部が外周部分よりやや低くになることを特徴とする、
ネック保護用枕。
【請求項２】
前記枕の中央部の窪み部分は、枕を横方向に裁縫して一つの縫い線を形成することによって構成されたことを特徴とする、請求項１に記載のネック保護用枕。
【請求項３】
前記枕の中央部の窪み部分は、枕の中央部に円形または多辺形の縫い線を裁縫して構成されたことを特徴とする、請求項１に記載のネック保護用枕。
【考案の詳細な説明】
【技術分野】
【０００１】
本考案は、ネック保護用枕に係り、特に、構造設計により、使用者のヘッドがネック保護用枕に寝たときに、外周部が中央部よりも高いことによってネック部が適当に支持され、寝そべる際の快適性が大幅に向上したネック保護用枕に関するものである。
【背景技術】
【０００２】
従来の枕の構造は中央部が外周部よりも高い円弧形の形であるので、使用者のヘッド部が枕の中央部に寝そべったときに、ネック部は枕の外周部のより低い部分に対応し、そうすると、ネック部が良好に支持されなく、だから、寝そべる際の快適性が低くなり、使用者が寝返りを打つときにヘッド部が枕から転落し易く、翌日にネック部が痛くなることがよくあった。
【考案の開示】
【考案が解決しようとする課題】
【０００３】
本考案の主な目的は、人体のネック部を良好に支持し、使用者の寝そべる快適性が大幅に向上するネック保護用枕を提供する。
【０００４】
本考案の次の目的は、人体のネック部を良好に支持し、ヘッド部を適当に定位することにより、使用者のヘッド部が枕から転落しないネック保護用枕を提供する。
【課題を解決するための手段】
【０００５】
上記目的を達成するためになされた本願の考案は、内部に繊維や綿や羽などが充填されたネック保護用枕において、前記枕の中央部には裁縫によって形成された窪み部分が設けてあり、前記枕の中央部が外周部分よりやや低くになることを特徴とするネック保護用枕であることを要旨としている。
【０００６】
本願の考案では、前記枕の中央部の窪み部分は、枕を横方向に裁縫して一つの縫い線を形成することによって構成されたことを特徴とする請求項１に記載のネック保護用枕であることを要旨としている。
【０００７】
本願の考案では、前記枕の中央部の窪み部分は、枕の中央部に円形または多辺形の縫い線を裁縫して構成されたことを特徴とする請求項１に記載のネック保護用枕であることを要旨としている。
【考案の効果】
【０００８】
本考案に係るネック保護用枕によれば、次のような効果がある。
（イ）人体のネック部を良好に支持し、使用者の寝そべる快適性が大幅に向上する。
【０００９】
（ロ）人体のネック部を良好に支持し、ヘッド部を適当に定位することにより、使用者のヘッド部が枕から転落しない。
【考案を実施するための最良の形態】
【００１０】
以下、添付図面を参照して本考案の好適な実施の形態を詳細に説明する。
【００１１】
まず、図１と図２を参照する。本考案に係る実施例１は、内部に繊維や綿や羽などが充填されたネック保護用枕１０であり、前記枕１０の中央部の窪み部分は、枕１０を横方向に裁縫して一つの縫い線１１を形成することによって構成され、これにより、枕１０の上下面の中央部は外周部分よりも低くなり、使用者のヘッド部１が枕１０に寝そべったときに、ヘッド部１がより低い中央部に位置し、なお、ネック部２が枕１０のより高い外周部分に位置し、且つ枕１０の外周部分の断面の円弧形状は人体のネック部の曲線に合うので、ネック部２が枕１０のより高い外周部分に適当に支持され、寝そべるときの快適性が向上し、且つ使用者のヘッド部１がより低い中央部に位置するので、使用者が寝返りを打つときにヘッド部１が枕１０から転落しなくなる。
【００１２】
また、図３を参照する。本考案に係る実施例２は、内部に繊維や綿や羽などが充填されたネック保護用枕２０であり、前記枕２０の中央部の窪み部分は、枕２０を横方向に裁縫して二つの平行な縫い線２１，２２を形成することによって構成され、これにより、二つの平行な縫い線２１，２２の間にはより低い部分が形成され、枕２０の外周部分がより高い円弧形になり、これにより、前記枕２０の中央部の二つの平行な縫い線２１，２２によって形成された窪み部分に使用者のヘッド部１が寝そべったときに、ネック部２が枕２０のより高い外周部分に位置し、且つ枕２０の外周部分の断面の円弧形状は人体のネック部の曲線に合うので、ネック部２が枕１０のより高い外周部分に適当に支持され、寝そべるときの快適性が向上し、且つ使用者のヘッド部１がより低い中央部に位置するので、使用者が寝返りを打つときにヘッド部１が枕２０から転落しなくなる。
【００１３】
また、図 4を参照する。本考案に係る実施例３は、内部に繊維や綿や羽などが充填されたネック保護用枕３０であり、前記枕３０の中央部の窪み部分は、枕３０の中央部に円形または多辺形（矩形を含み）の縫い線３１を裁縫して構成され、この縫い線３１により枕３０の中央部は円形または多辺形（矩形を含み）の窪み部分になり、枕３０の外周部分が中央部よりも高くなり、これにより、使用者のヘッド部１が枕３０に寝そべったときに、ヘッド部１がより低い中央部に位置し、なお、ネック部２が枕３０のより高い外周部分に位置し、且つ枕１０の外周部分の断面の円弧形状は人体のネック部の曲線に合うので、ネック部２が枕３０のより高い外周部分に適当に支持され、寝そべるときの快適性が向上し、且つ使用者のヘッド部１がより低い中央部に位置するので、使用者が寝返りを打つときにヘッド部１が枕３０から転落しなくなる。
【図面の簡単な説明】
【００１４】
【図１】本考案に係る実施例１の構造を示す概略図である。
【図２】本考案に係る実施例１の使用状態を示す概略図である。
【図３】本考案に係る実施例２の構造を示す概略図である。
【図４】本考案に係る実施例３の構造を示す概略図である。
【符号の説明】
【００１５】
１        ヘッド部
２        ネック部
１０      枕
１１      縫い線
２０      枕
２１，２２    縫い線
３０      枕
３１      縫い線
【図１】
0003111294.tif 000003
【図２】
0003111294.tif 000004
【図３】
0003111294.tif 000005
【図４】
0003111294.tif 000006
(57)【要約】      （修正有）【課題】性器を常時保持できるように改善したもので、このように性器を保持したままとすると、通風がよくなってインキン等の疾病予防、前立腺肥大の予防、勃起不全の改善にも役立つ健康サポータを提供する。【解決手段】ベルト３より垂れ下がる一対の垂れ下がり部５の下部を連結してＵ型形状の性器保持部７を設け、前記垂れ下がり部５の下部には左右の垂れ下がり部５を接着する接着具８を設け、前記一対の垂れ下がり部５の間に男性の性器６を出して前記接着具８により垂れ下がり部５の間隔を狭めて性器６を保持すようにして装着する健康サポータ。【選択図】図１
0003111251.tif 000002
【実用新案登録請求の範囲】
【請求項１】
ベルト３より垂れ下がる一対の垂れ下がり部５の下部を連結してＵ型形状の性器保持部７を設け、前記垂れ下がり部５の下部には左右の垂れ下がり部５を接着する接着具８を設け、前記一対の垂れ下がり部５の間に男性の性器６を出して前記接着具８により垂れ下がり部５の間隔を狭めて性器６を保持すようにして装着する健康サポータ。
【考案の詳細な説明】
【技術分野】
【０００１】
本考案は、前立腺肥大の予防、蒸れに起因する疾病予防、勃起不全の改善等に効果のある健康サポータに係るものである。
【背景技術】
【０００２】
従来、男性の穿く下着は、所謂下半身に密着するパンツタイプと、半ズボンのようなトランクスと呼ばれるタイプのものがあり、日常生活では、パンツあるいはトランクスをはいているが、スポーツ選手は、競技中にパンツ等の下着の内側に性器を保持するサポータを履いていた。
【考案の開示】
【考案が解決しようとする課題】
【０００３】
前記公知例のサポータは、単に男性の性器を身体に密着するように保持しているだけであるから、下着のパンツより更に小さい布により性器を包囲するだけであり、そのままでは排尿困難であり、競技が終わると、一々脱がなければならなかった。
そこで、本考案は、性器を常時保持できるように改善したものである。このように、性器を保持したままとすると、通風がよくなってインキン等の疾病予防、前立腺肥大の予防、勃起不全の改善にも役立つといわれる。即ち、調査によると、性器を出したまま日常生活する民族には、前立腺肥大の者とか、勃起不全の者が非常に少なく、殆ど見られないという統計が見られている。
【課題を解決するための手段】
【０００４】
よって、本考案は、ベルト３より垂れ下がる一対の垂れ下がり部５の下部を連結してＵ型形状の性器保持部７を設け、前記垂れ下がり部５の下部には左右の垂れ下がり部５を接着する接着具８を設け、前記一対の垂れ下がり部５の間に男性の性器６を出して前記接着具８により垂れ下がり部５の間隔を狭めて性器６を保持すようにして装着する健康サポータとしたものである。
【考案の効果】
【０００５】
本考案は、ベルト３より垂れ下がる一対の垂れ下がり部５の下部を連結してＵ型形状の性器保持部７を設け、前記垂れ下がり部５の下部には左右の垂れ下がり部５を接着する接着具８を設け、前記一対の垂れ下がり部５の間に男性の性器６を出して前記接着具８により垂れ下がり部５の間隔を狭めて性器６を保持すようにして装着する健康サポータとしたものであるから、男性の性器６を前記一対の垂れ下がり部５から出すようにして保持するので、前立腺肥大の予防、勃起不全の改善に役立つ。即ち、裸民族では周知のように性器６を露出して生活しているが、そのため該民族には前立腺肥大の患者、勃起不全の患者は殆ど存在しないことから明らかなように、前立腺肥大の予防、勃起不全の改善に役立つのである。
【実施例】
【０００６】
本考案の実施例を図面により説明すると、１は男性の身体、２は本考案のサポータである。サポータ２は、身体１の腹部（腰部）に装着する円形のベルト３を有する。ベルト３は伸縮部材により形成し、長さを調節する調節具４を設けてもよい。
【０００７】
ベルト３の前側には、ベルト３より垂れ下がる一対の垂れ下がり部５を設け、垂れ下がり部５の下部は連結してＵ型形状の男性の性器６を保持する性器保持部７を形成する。前記各垂れ下がり部５の下部には、反復して接離可能な面状ファスナー等により形成した接着具８を設ける。
【０００８】
接着具８は、上下に複数並設すると共に、各接着具８の接着位置を変更することで性器保持部７の位置を調節する。
【０００９】
また、実施例のベルト３の左右両側部には、大腿部を挿入する大腿部挿入ベルト部１０を設けているが、要件ではない。
【００１０】
なお、勃起に関係する神経は、脳の下部を通り、そのすぐ上にある大脳辺縁形にのび、最終的には、大脳新皮質の前頭連合野に至る。
【００１１】
次に作用を述べる。
本考案の構成は上記に通りだから、ベルト３を身体１の腰部に止め、次に、男性の性器６を前記垂れ下がり部５の間に挿入し、左右の接着具８を止めて垂れ下がり部５の間隔を狭めて性器６を保持すようにし、このサポータ２の上からパンツ１１を穿けばそれで終了である。
【００１２】
この場合、左右の接着具８の接着位置を変更して、垂れ下がり部５の下部の性器保持部７の位置を調節する。
【００１３】
しかして、男性の性器６は、性器６の付け根が垂れ下がり部５の性器保持部７により保持されているだけでから、そのまま排尿することができ、日常生活に支障がなく、常時装着可能なサポータ２となる。
【００１４】
また、性器６は、その付け根が性器保持部７により保持されているから、日常生活で健康な人が利用すると、前立腺肥大の予防、勃起不全の改善に役立つ。
【００１５】
即ち、裸民族では周知のように性器６を露出して生活しているが、そのため該民族には前立腺肥大の患者、勃起不全の患者は殆ど存在しないことから明らかなように、前立腺肥大の予防、勃起不全の改善に役立つのである。
【図面の簡単な説明】
【００１６】
【図１】挿着した正面図。
【図２】サポータの正面図。
【図３】挿着した側面図。
【符号の説明】
【００１７】
１…男性の身体、２…サポータ、３…ベルト、５…垂れ下がり部、６…性器、７…性器保持部、８…接着具、１０…大腿部挿入ベルト部、１１…パンツ。
【図１】
0003111251.tif 000003
【図２】
0003111251.tif 000004
【図３】
0003111251.tif 000005